(57)【要約】【課題】既設建物において入居したままでの配管が可能であり、最小限の改修にとどめることができる水道連結型スプリンクラー設備を提供する。【解決手段】水道本管から分岐した給水管２と、給水ヘッダー１と、給水管２と給水ヘッダー１とを接続する給水配管３と、複数のスプリンクラーヘッド５と、給水ヘッダー１の各分岐口６と各スプリンクラーヘッド５とを接続する分岐管７と、各スプリンクラーヘッド５，５同士を接続するヘッド同士接続管８とを備える。いずれかの少なくとも一つのヘッド同士接続管８はトイレ等の給水栓１１と接続する。【選択図】図１
2010046370.tif 000002
【特許請求の範囲】
【請求項１】
水道本管から分岐した給水管と、給水ヘッダーと、前記給水管と前記給水ヘッダーとを接続する給水配管と、複数のスプリンクラーヘッドと、前記給水ヘッダーの各分岐口と各スプリンクラーヘッドとを接続する分岐管と、各スプリンクラーヘッド同士を接続するヘッド同士接続管とを備えており、いずれかの少なくとも一つの前記ヘッド同士接続管はトイレ等の給水栓と接続していることを特徴とする、水道連結型スプリンクラー設備。
【請求項２】
前記給水栓は、前記給水ヘッダーより最も遠方のヘッド同士接続管に接続している、請求項１記載の水道連結型スプリンクラー設備。
【発明の詳細な説明】
【技術分野】
【０００１】
本発明は、老人ホームや障害者支援設備等の特定施設などに好適に備えつけられる水道連結型スプリンクラー設備に関する。
【背景技術】
【０００２】
一般住宅において水道配管と接続すべく設置される水道連結型スプリンクラー設備として、たとえば、水道本管から分岐した給水管の途中にＴ型継手を接続し、このＴ型継手の分岐口にスプリンクラーヘッドを接続するものがある（例えば、特許文献１参照。）。この場合、衛生目的で配管内に水道水が停滞しないようにするためにトイレなど日常生活に使われる給水栓に直結し、スプリンクラーヘッドまでの配管内を常時充水しておくようにしている。
【０００３】
【特許文献１】特開２００５−３３７号公報
【発明の開示】
【発明が解決しようとする課題】
【０００４】
しかしながら、従来の分岐工法を採用する上記水道連結型スプリンクラー設備では、天井裏に入って配管工事を行わなければならず、このような水道連結型スプリンクラー設備を新築に際して備えつける場合は問題ないが、既設建物に備えつける場合は、入居したままでの配管が必要であり、既設天井を破る等の工事はできるだけ避けて最小限の改修にとどめる必要がある。
【０００５】
本発明は、このような要望に応えるべく、ヘッダー工法を採用することにより既設建物においても入居したままでの配管が可能であり、最小限の改修にとどめることができる水道連結型スプリンクラー設備を提供することを目的とする。
【課題を解決するための手段】
【０００６】
本発明の水道連結型スプリンクラー設備は、請求項１に記載のように、水道本管から分岐した給水管と、給水ヘッダーと、前記給水管と前記給水ヘッダーとを接続する給水配管と、複数のスプリンクラーヘッドと、前記給水ヘッダーの各分岐口と各スプリンクラーヘッドとを接続する分岐管と、各スプリンクラーヘッド同士を接続するヘッド同士接続管とを備えており、いずれかの少なくとも一つの前記ヘッド同士接続管はトイレ等の給水栓と接続していることに特徴を有するものである。
このような構成によると、複数のスプリンクラーヘッドの全てをヘッド同士接続管で接続し、いずれかの少なくとも一つのヘッド同士接続管とトイレ等の給水栓とを接続していることにより、停滞水および停滞空気の発生を防止できる。そのうえ、既設建物の天井の点検口を利用し、この点検口または点検口の近傍に給水ヘッダーを設置することで、天井をはがさないで済み、入居したままでの配管が可能であり、最小限の改修にとどめることができる。
【０００７】
請求項１記載の水道連結型スプリンクラー設備は、請求項２に記載のように、前記給水栓は、前記給水ヘッダーより最も遠方のヘッド同士接続管に接続した構成を採用することができる。この構成によると、配管全体に亘って停滞水や停滞空気の発生を可及的に効率よく均等に防止できる。
【発明の効果】
【０００８】
本発明の水道連結型スプリンクラー設備によれば、停滞水および停滞空気の発生を防止できるうえ、既設建物においても入居したままでの配管が可能であり、最小限の改修にとどめることができるという利点がある。
【発明を実施するための最良の形態】
【０００９】
以下、本発明の好適な実施例を図面に基づき説明する。図１は本発明の一実施例の水道連結型スプリンクラー設備の構成図、図２は図１の水道連結型スプリンクラー設備に使用する末端継手の外観斜視図、図３は末端継手の他の実施例を示す外観斜視図である。
【００１０】
図１に示すように、本発明に係る水道連結型スプリンクラー設備は、既設建物の天井の点検口（図示せず）または点検口近傍に設置される給水ヘッダー１と、水道本管から分岐した給水管２とをポリブテン管等よりなる給水配管３で接続する。そして、給水ヘッダー１の各分岐口６（図示例では第１〜４の分岐口６Ａ〜６Ｄ）と、天井に設置される複数の閉鎖型または開放型のスプリンクラーヘッド５（図示例では第１〜４のスプリンクラーヘッド５Ａ〜５Ｄ）のそれぞれとをポリブテン管等よりなる分岐管７で接続するとともに、各スプリンクラーヘッド５，５同士をヘッド同士接続管８で接続する。
【００１１】
各分岐管７のスプリンクラーヘッド側の端部と各スプリンクラーヘッド５とは図２に示す末端継手９で接続する。末端継手９は、内部の管路が十字形状をなしており、接続口１０として第１〜４の接続口１０Ａ〜１０Ｄを有する。第２，３のスプリンクラーヘッド５Ｂ、５Ｃにおける各末端継手９においては、第１の接続口１０Ａは分岐管７と接続し、第２の接続口１０Ｂはスプリンクラーヘッド５と接続し、第３、４の接続口１０Ｃ、１０Ｄはヘッド同士接続管８と接続する。第１，４のスプリンクラーヘッド５Ａ、５Ｄにおける各末端継手９においては、第１の接続口１０Ａは分岐管７と接続し、第２の接続口１０Ｂはスプリンクラーヘッド５と接続し、第３、４の接続口１０Ｃ、１０Ｄのうち一方はヘッド同士接続管８と接続し、もう一方は封口する。
なお、上記第１，４のスプリンクラーヘッド５Ａ、５Ｄにおける各末端継手９に代えて、図３に示すように内部の管路がＹ字形状をなし、かつ接続口１４として第１〜３の接続口１４Ａ〜１４Ｃを有する末端継手１３を使用することもできる。この場合、第１の接続口１４Ａは分岐管７と接続し、第２の接続口１４Ｂはスプリンクラーヘッド５と接続し、第３の接続口１４Ｃはヘッド同士接続管８と接続する。
【００１２】
いずれかの少なくとも一つのヘッド同士接続管８の中途部はトイレ、浴室、台所等の給水栓１１とポリブテン管等よりなる給水配管１２で接続する。ヘッド同士接続管８の中途部と給水配管１２の端部とはＴ型管継手（図示せず）で接続する。
【００１３】
上記のように構成された水道連結型スプリンクラー設備によれば、複数のスプリンクラーヘッド５の全てをヘッド同士接続管８で接続し、いずれかの少なくとも一つのヘッド同士接続管８とトイレ等の給水栓１１とを接続しているので、停滞水および停滞空気の発生を防止できる。
しかも、既設建物の天井の点検口を利用し、この点検口または点検口の近傍に給水ヘッダー１を設置することで、天井をはがさないで済み、入居したままでの配管が可能であり、最小限の改修にとどめることができる。
【００１４】
配管全体に亘って停滞水や停滞空気の発生を効率よく均等に防止するには、給水栓１１は、給水ヘッダー１より最も離れた遠方のヘッド同士接続管８に接続することが好ましいが、その他のヘッド同士接続管８に接続するもよい。
【図面の簡単な説明】
【００１５】
【図１】本発明の一実施例を示す水道連結型スプリンクラー設備の構成図である。
【図２】図１の水道連結型スプリンクラー設備に使用する末端継手の外観斜視図である。
【図３】末端継手の他の実施例を示す外観斜視図である。
【符号の説明】
【００１６】
１  給水ヘッダー
２  給水管
３  給水配管
５  スプリンクラーヘッド
６  給水ヘッダーの分岐口
７  分岐管
８  ヘッド同士接続管
１１  給水栓
【図１】
2010046370.tif 000003
【図２】
2010046370.tif 000004
【図３】
2010046370.tif 000005